(57)【特許請求の範囲】
【請求項１】
複数の鍵と、該複数の鍵の下方に位置し各鍵の押鍵操作に連動して所定のストロークの範囲で回動する複数の各質量体と、前記複数の鍵及び前記複数の質量体が並設されたフレームを有する電子楽器の鍵盤装置において、
前記フレームには、上方に立設した立設部を設け、
該立設部は、前記各鍵の左右側壁間の内部に入り込む位置で前記各鍵を揺動自在に支持するとともに、前記各鍵の左右側壁間の内部に入り込む位置で当該立設部から張出した張出部を有し、
該張出部には、前記質量体の回動動作の上限を規制する上限動作規制部材が固定され、
前記質量体の回動時に、前記質量体が前記上限動作規制部材に衝突することにより前記所定のストロークの上限が規制される、
ことを特徴とする電子楽器の鍵盤装置。
【請求項２】
前記各張出部は、当該上面に垂直リブを有するものである、
ことを特徴とする請求項１に記載の電子楽器の鍵盤装置。
【請求項３】
前記各張出部は、当該下面が前記各鍵の左右側壁の下端より下方に位置し、
隣接する少なくとも２つの前記張出部の下面に、同一の前記上限動作規制部材が前記複数の鍵の配列方向に配置されて固定されている、
ことを特徴とする請求項１又は２に記載の電子楽器の鍵盤装置。
【発明の詳細な説明】
【技術分野】
【０００１】
本発明は、押鍵操作に連動して回動する質量体を有する電子楽器の鍵盤装置に関するものである。
【背景技術】
【０００２】
従来、電子楽器の鍵盤装置において、押鍵操作に連動して質量体を回動させ、アコースティック・ピアノの鍵盤機構に似た鍵タッチ感、より具体的には、質量感及びストップ感を得るものがある。
特許文献１に記載のものは、鍵本体部の後端（鍵支点部）を収容する枠体の後部に上面板があり、この上面板の下面にストッパ（上限ストッパ）が固定されている。錘（質量体）の折り曲げ部（質量集中部、自由端）は、鍵本体部の後端よりもさらに後方にまで延設され、押鍵時に折り曲げ部が上限ストッパに衝突する。この構成によれば、鍵盤装置の奥行きが長くなる。しかも、錘の支点部から自由端までの距離が長くなるに応じて自由端のストローク長は長くなるが、質量体の回動角度を小さくしない限り、鍵盤装置の高さは短縮されない。
【０００３】
一方、上述した質量体が鍵の下方に配置されたものがある（特許文献２，３参照）。この場合、質量体がない場合に比べて、鍵盤装置の奥行きは変わらない。
特許文献２においては、ハンマーアーム（質量体）が、軸（鍵支点）よりも前方の鍵盤シャーシ（フレーム）下面に設けられている。
しかし、鍵盤装置の高さは、鍵の側壁、鍵のストローク長、鍵と鍵盤シャーシとの間のクリアランス、鍵盤シャーシの厚さ、ストッパ部材（上限ストッパ）の厚さ、ハンマーアームのストローク長、ハンマーアームの縦幅、制動部材（下限ストッパ）の厚さ、等を加えたものとなる。
従って、ハンマーアームを配置することにより、鍵盤装置の形状が高くなり、電子楽器が嵩張るという問題がある。
【０００４】
特許文献３においては、アーム（質量体）の軸（回動支点部）が鍵の左右側壁に形成された凹部に嵌合し、アームの緩衝材（上限ストッパ）は、鍵内部の天井面に設けられている。押鍵時には、アームが鍵の左右側壁間の内部に入り込む。
従って、鍵の左右側壁間の内部という鍵盤装置の空きを利用しているために、鍵盤装置の高さが抑制される。
しかし、緩衝材は鍵内部に設けられているため、アームが緩衝材に衝突した時の衝撃が、鍵を介して演奏者の指に伝わるという問題がある。また、緩衝材は、各鍵ごとに個別に設ける必要があるから、全鍵に共通とした場合に比べて作業性が悪く、組立コストもかかるという問題がある。
【特許文献１】特開平９−１９８０３７号公報（特許第３０６０９３０号公報）
【特許文献２】特開平４−１４２５９５号公報
【特許文献３】特公平２−０１９４６８号公報
【発明の開示】
【発明が解決しようとする課題】
【０００５】
本発明は、上述した問題点を解決するためになされたものであり、押鍵操作に連動して回動する質量体を有した電子楽器の鍵盤装置において、装置の奥行きを長くすることなく装置の高さを抑制し、かつ、良好なストップ感が得られる電子楽器の鍵盤装置を提供することを目的とするものである。
【課題を解決するための手段】
【０００６】
本願の発明は、請求項１に記載の発明においては、複数の鍵と、該複数の鍵の下方に位置し各鍵の押鍵操作に連動して所定のストロークの範囲で回動する複数の各質量体と、前記複数の鍵及び前記複数の質量体が並設されたフレームを有する電子楽器の鍵盤装置において、前記フレームには、上方に立設した立設部を設け、該立設部は、前記各鍵の左右側壁間の内部に入り込む位置で前記各鍵を揺動自在に支持するとともに、前記各鍵の左右側壁間の内部に入り込む位置で当該立設部から張出した張出部を有し、該張出部には、前記質量体の回動動作の上限を規制する上限動作規制部材が固定され、前記質量体の回動時に、前記質量体が前記上限動作規制部材に衝突することにより前記所定のストロークの上限が規制されるものである。
従って、複数の質量体、上限動作規制部材が複数の鍵の下方に配置されていることにより、装置の奥行きが長くならない。
上限動作規制部材固定部（張出部）が、鍵本体部側ではなくフレーム側にあることにより、良好なストップ感が得られる。
上限動作規制部材固定部（張出部）を配設するために、鍵の左右側壁間の内部という空きスペースを有効活用しているから、鍵の左右側壁と上限動作規制部材固定部（張出部）の重なり分に応じて、鍵盤装置の高さを抑制できる。
加えて、上限動作規制部材固定部（張出部）の下面をも、鍵の左右側壁間の内部に配設した場合は、従来のように上限動作規制部材固定部が鍵フレームである場合に比べ、上限動作規制部材固定部の位置が上に移動する結果、鍵盤装置の高さを従来よりも低くすることができる。
【０００７】
請求項２に記載の発明においては、請求項１に記載の電子楽器の鍵盤装置において、前記各張出部は、当該上面に垂直リブを有するものである。
従って、垂直リブにより上限動作規制部材固定部（張出部）の剛性が高まるため、質量体が上限動作規制部材に衝突したときに、上限動作規制部材固定部（張出部）の変形が少なくなり、演奏者の指に与えるストップ感が向上する。
【０００８】
請求項３に記載の発明においては、請求項１又は２に記載の電子楽器の鍵盤装置において、前記各張出部は、当該下面が前記各鍵の左右側壁の下端より下方に位置し、
隣接する少なくとも２つの前記張出部の下面に、同一の前記上限動作規制部材が前記複数の鍵の配列方向に配置されて固定されているものである。
鍵盤の全ての鍵、あるいは、１〜数オクターブの鍵などに対応する、隣接する少なくとも２つの上限動作規制部材固定部（張出部）の下面に、同一の上限動作規制部材が固定される。従って、個別に用意された動作規制部材を、個々の上限動作規制部材固定部（張出部）に配置して固定する作業に比べ、鍵盤装置の組立性が良くなる。
【発明の効果】
【０００９】
本発明によれば、各鍵の左右側壁間の内部を有効に活用することにより、鍵盤装置の奥行きを長くすることなく、鍵盤装置の高さを抑制して、質量体及び動作規制部材を配置できるという効果がある。かつ、良好なストップ感が得られるという効果がある。
その結果、この鍵盤装置を組み込む電子楽器の外形を薄くすることができる。一方、電子楽器の外形の高さを従来と同じにした場合、この鍵盤装置の鍵奥側の上部に配置される電子楽器の機能部品、例えば、操作パネル上のスイッチや表示器、を実装するための空間を広くすることができる。
【発明を実施するための最良の形態】
【００１０】
図１は、本願発明の第１の実施形態である電子楽器の鍵盤装置を模式的に示す右側面図である。図１（ａ）は押鍵されていない状態（離鍵状態）を示し、図１（ｂ）は白鍵本体部１が押し切られた状態を示している。図１（ｃ）は、図１（ｂ）において、矢示Ａ−Ａから見た白鍵本体部１及び鍵フレーム３を模式的に示す横断面図である。
【００１１】
図１（ａ）において、１は白鍵本体部、２は黒鍵本体部、３は鍵フレーム、４は鍵フレーム底板、８は質量体である。
鍵フレーム３は、複数の鍵の配列方向に延設されたものである。この鍵フレーム３は、例えば板金、あるいは合成樹脂製であり、その各部分（アルファベットの添字が付されている）が一体成形されたものである。
その上部取付部３ａには、複数の白鍵本体部１、複数の黒鍵本体部２が並設されている。上部取付部３ａは、図示の例では水平であり、鍵の長手方向（奥行き方向）の前部に段差部３ｂがある。段差部３ｂには、複数の鍵に対応して、複数のスリット状の貫通孔１５が形成されている。
【００１２】
段差部３ｂの直前は鍵フレーム３を鍵フレーム底板４へ取り付けるための基部３ｃであり、さらにその前方に垂直壁３ｄがある。垂直壁３ｄには鍵ガイド５が設けられている。鍵ガイド５は白鍵本体部１の先端部１ａの下部に挿入される。
一方、黒鍵本体部２に対する鍵ガイド６は、上部取付部３ａに立設されている。白鍵本体部の先端部１ａの下部、鍵ガイド５、垂直壁３ｄ、及び、鍵フレーム底板４の前面は、口棒部９により覆われる。
【００１３】
上部取付部３ａに対し、鍵の長手方向の後部に段差部３ｅがあり、その直後は鍵フレーム３を鍵フレーム底板４へ取り付けるための基部３ｆである。
上部取付部３ａの後端近傍の上面において、複数の白鍵本体部１，黒鍵本体部２のそれぞれに対応して、複数の支持部３ｇが並設され、各鍵を揺動自在に支持する。支持部３ｇは、立設部３ｇ1、前方張出部３ｇ4を有する。立設部３ｇ1は、上部取付部３ａから上方に突き出ている。上部取付部３ａの後方であって、支持部３ｇの手前には、各鍵に対応してスリット状の貫通孔１６が設けられている。
【００１４】
図１（ｃ）に示すように、支持部３ｇは、左右側面の上部に、軸部３ｇ2，３ｇ3を有し、これらは鍵の配列方向に突き出ている。この軸部３ｇ2，３ｇ3に、白鍵本体部１の後端部の左右側壁に設けられた鍵支点部１ｂ（貫通孔）が嵌合される。一方、黒鍵本体部２に対応した図示されない支持部３ｇの場合も同様であり、軸部３ｇ2，３ｇ3に、黒鍵本体部２の後端部の左右側壁に設けられた鍵支点部２ｂ（貫通孔）が嵌合される。
【００１５】
図１（ａ）に示す立設部３ｇ1の上部は前方へ水平に張り出し、平板状の前方張出部（上限動作規制部材固定部）３ｇ4となる。この前方張出部３ｇ4の下面（図示の例では、水平面）に、上限ストッパ（上限動作規制部材）１１が配置され固定される。
白鍵本体部１及び黒鍵本体部２の左右側壁間の内部には、下方に開口した鍵内空間がある。
白鍵本体部１及び黒鍵本体部２に対する前方張出部３ｇ4及び上限ストッパ１１は、これらの左右側壁間の内部に位置している。すなわち、前方張出部３ｇ4及び上限ストッパ１１は、左右側壁と干渉することなく重なるように配設されている。
【００１６】
鍵フレームの上部取付部３ａの上面には、複数の鍵スイッチ１４が並設され、これらに対向して、白鍵本体部１、黒鍵本体部２の上述した左右側壁間の鍵内部空間において、上面裏側（天井面）から下方向に突部（アクチュエータ）が設けられている。この突部の図示は、図１（ｃ）においても省略されている。
上部取付部３ａの前端寄りの下面に質量体支持部３ｈが立設されている。図示のものは、白鍵本体部１に対するものである。白鍵本体部の先端部１ａ寄りの左右側壁の下端から下方に力伝達部１ｃが延設されている。この力伝達部１ｃの先端は底板を有し、この底板の上部は、鍵の長手方向に貫通している。この底板の上下面に弾性部材７が固着されている。
【００１７】
一方、黒鍵本体部２の力伝達部は、図示を省略しているが、黒鍵本体部の先端部２ａが下方に延びてから前方に向かい、力伝達部１ｃとは鍵の配列方向に重なる位置にある。黒鍵本体部２に対しても、同様に、質量体支持部により回動自在に支持された同様の質量体が設けられ、対応する黒鍵の力伝達部の底板と弾性部材を介して係合している。
なお、白鍵本体部１，黒鍵本体部２は対応する各質量体８の自重によって復帰するが、白鍵本体部１，黒鍵本体部２と鍵フレーム３との間に、白鍵本体部１，黒鍵本体部２を離鍵位置に戻すための復帰バネを設けてもよい。
【００１８】
複数の質量体８、下限ストッパ１０及び上限ストッパ１１は、複数の白鍵本体部１及び複数の黒鍵本体部２（鍵盤面）の下方（鍵内部空間を含む）に位置する。
各質量体８は、複数の白鍵本体部１，黒鍵本体部２のそれぞれに対応し、それぞれの押鍵操作に連動して回動する。図示の質量体８は、白鍵本体部１に対するものである。
質量体８は、質量体支持部３ｈに支持される回動支点部８ｃと、この回動支点部８ｃの前方にあって弾性部材７を介して鍵の力伝達部１ｃに係合する、二股の主被駆動部８ａ及び副被駆動部８ｂと、この回動支点部８ｃの後方に連結部８ｄを介し、自由端部としての質量集中部８ｅを有する。
【００１９】
連結部８ｄの後端は質量集中部８ｅの前端部下方に結合されている。鍵の配列方向に沿った質量集中部８ｅの横幅は、鍵の左右側壁間の内幅よりも短い。図示のＰ点は、回動支点部８ｃから最も遠い点であり、本明細書では、これを自由端という。
連結部８ｄ及び質量集中部８ｅは、回動時に大きな慣性モーメントを発生する。
質量体８は、その主被駆動部８ａ及び副被駆動部８ｂと回動支点部８ｃとの間において、貫通孔１５を貫通している。
質量集中部８ｅの下端面８ｅ1は、図示の例では、水平状態となっている。下端面８ｅ1は、下限ストッパ１０に（下限動作規制部材）対する当接部となる。下限ストッパ１０は、鍵フレーム底板４の上面に固定されている。
質量集中部８ｅの上端面８ｅ2は、図示の例では、前方よりも後方が低い位置にある傾斜面をなし、図１（ｂ）に示す、鍵が押し切られた状態において水平状態となる。
【００２０】
図１（ａ）に示す離鍵状態において、鍵本体部（図示の例では、白鍵本体部１）が押下されたとき、この鍵に対応する質量体８は、重力に抗して反時計回りに回動する。質量集中部８ｅの上端面８ｅ2は、貫通孔１６を通過する。この間、質量体８の慣性モーメントに応じた反作用が白鍵本体部１に伝わることにより、演奏者の指に質量感が与えられる。
図１（ｂ）に示すように、質量体の連結部８ｄが水平状態となり、質量集中部８ｅの上端面８ｅ2が上限ストッパ（上限動作規制部材）１１に衝突すると、質量体８の回動範囲の上限位置が規制される。それとともに質量体８が制動されるために、鍵を介して演奏者の指にストップ感が得られる。
質量集中部８ｅの自由端Ｐは、図１（ｂ）において「ストローク長」として示した距離を移動することになる。
【００２１】
上述した前方張出部３ｇ4は、鍵フレーム３側に配設されたものであって、白鍵本体部１，黒鍵本体部２の側に配設されたものではないから、質量集中部の上端面８ｅ2が上限ストッパ１１に衝突したときの衝撃は、鍵を介して演奏者の指に伝わることはない。
この前方張出部３ｇ4は、鍵フレームの上部取付部３ａの厚みよりも厚くすることができ、かつ、立設部３ｇ1は剛性の高い構造にすることができ、しかも、この立設部３ｇ1は、段差部３ｅに近い位置に配設されている。そのため、上限ストッパ１１が配置され固定される前方張出部３ｇ4を変形（撓み）しにくくすることが容易である。
【００２２】
鍵フレームの上部取付部３ａの下面には、補助ストッパ１２が、図示の例では、貫通孔１６の前端に隣接して配設されている。鍵の押下時に質量体８が回動範囲の上限位置（押切静止位置）を過渡的に超えた（オーバーストローク）ときに、連結部８ｄが鍵フレームの上部取付部３ａに衝突することを防止する。なお、連結部８ｄが鍵フレームの上部取付部３ａに衝突するおそれがない場合は、補助ストッパ１２を必要としない。
【００２３】
演奏者が鍵を離すと、質量体８は自重により逆回動して図１（ａ）の位置に復帰し、質量集中部の下端面８ｅ1が下限ストッパ１０に衝突することにより、質量体の初期位置（離鍵状態）を規制する。
質量集中部８ｅという、質量体８の質量が集中する部分の下端面８ｅ1に下限ストッパ１０に対する当接部（第２の当接部）が設けられているから、離鍵時のリバウンド、振動といったストップ感の悪化を抑制することができる。
【００２４】
一方、鍵フレームの上部取付部３ａの前方上面に配置された下限ストッパ１３は、白鍵本体部１又は黒鍵本体部２が押し切られたときに、白鍵本体部１又は黒鍵本体部２の左右側壁下端の揺動下限位置を規制する。
上述した下限ストッパ１０，補助ストッパ１２，下限ストッパ１３は、通常、鍵の配列方向に沿って帯状に配置されることにより、全鍵、あるいは、１または数オクターブ単位の複数の鍵に対して共通のものとすることができる。
【００２５】
特許文献２のような従来の質量体は、押し切り時において鍵フレームの下面に固定された上限ストッパに当接する。
これに対し、この実施の形態では、上限ストッパ１１は、上部取付部３ａの下面よりも高い位置にある前方張出部３ｇ4の下面に配置される。その結果、上限ストッパ１１の位置が上方に移動（図１（ｂ）に示す距離ｈ）する。これに伴い、質量体８及び下限ストッパ１０の位置も、従来よりも上方に移動して図１に示す配置となる。
従って、上部取付部３ａの高さは、従来技術よりも距離ｈに応じて短縮されることになり、鍵盤装置の全高Ｈが従来技術よりも抑制される。
【００２６】
上述した短縮の効果を得るには、前方張出部３ｇ4の下面が鍵フレームの上部取付部３ａの下面よりも高い位置にあればよい。
しかし、この実施の形態では、上限ストッパ１１を、鍵フレームの上部取付部３ａの下面よりも、なるべく高い位置に配置するために、白鍵本体部１，黒鍵本体部２の左右側壁間の内部（鍵盤装置の高さ方向の空き）に前方張出部３ｇ4を配設している。
この場合、前方張出部３ｇ4の下面と鍵フレームの上部取付部３ａとの間に、十分な隙間が形成されるから、上限ストッパ１１を、前方張出部３ｇ4の下面に配置して固定する作業が容易になるという利点もある。
【００２７】
ここで、前方張出部（上限動作規制部材固定部）３ｇ4の少なくとも上部が白鍵本体部１，黒鍵本体部２の左右側壁の内部に配設されているのであれば、前方張出部３ｇ4を、鍵の左右側壁間の内部という空きスペースを有効活用して配設していることになる。その結果、鍵の左右側壁と前方張出部３ｇ4の重なり分に応じて、鍵盤装置の高さが抑制されている。
【００２８】
上述した説明では、複数の鍵スイッチ１４は、鍵フレームの上部取付部ａの上面に配設されているとして説明した。これに代えて、特許文献１のように、質量体８の下端面、例えば、主被駆動部８ａと回動支点部８ｃとの間の下端面に突部（アクチュエータ）を形成し、その下方に鍵スイッチ１４を載置した回路基板を配設してもよい。
上述した支持部３ｇは、白鍵本体部１，黒鍵本体部２を支持するだけでなく、上限ストッパ１１の固定部となる前方張出部３ｇ4を支持する部材でもある。
これに代えて、白鍵本体部１，黒鍵本体部２を支持する支持部と、上限ストッパ１１の固定部を支持する支持部とを、別構成としてもよい。このようにすれば、白鍵本体部１，黒鍵本体部２の支持部材を、図示のような鍵支点部（貫通孔）と軸によるものではない、別構成のものに置き換えることもできる。
【００２９】
鍵フレーム３が合成樹脂製である場合、鍵毎に並設される複数の支持部３ｇは、鍵フレーム３の一部として一体成形できる。しかし、支持部３ｇは鍵フレーム３と別構成のものとして形成しておき、組立て時に、鍵フレーム３に配設してもよい。また、上限ストッパ１１は、２色成型法によって支持部３ｇと一体のものとして成型されてもよいし、また、前方張出部３ｇ4の下面に接着されてもよい。
【００３０】
上述した上限ストッパ１１を含むストッパ部材は、衝撃吸収性、消音性、及び、白鍵本体部１、黒鍵本体部２の停止位置、及び、質量体８の停止位置の再現性の観点から、復元力を備えたものが必要であり、フェルト又はポリウレタン・エラストマ等の動作規制部材が使用される。
質量体８における、主被駆動部８ａ，副被駆動部８ｂから回動支点部８ｃまでの部材は、合成樹脂等で一体化されて基部となる。この基部は、例えば、金属製の連結部８ｄを金型に差し込んだ状態でアウトサート成形により一体化される。質量集中部８ｅは、例えば連結部８ｄと一体の金属製のものである。
【００３１】
図２は、本願発明の第２の実施形態である電子楽器の鍵盤装置を模式的に示す右側面図である。図２（ａ）は押鍵されていない離鍵状態を示し、図２（ｂ）は白鍵本体部１が押し切られた状態を示している。図２（ｃ）は、図２（ｂ）において、矢示Ｂ−Ｂから見た白鍵本体部１ａ、鍵フレーム２１及び上限ストッパ２３を模式的に示す横断面図である。図２（ｄ）は、図２（ｂ）において、矢示Ａ−Ａから見た白鍵本体部１及び鍵フレーム２１を模式的に示す横断面図である。
【００３２】
図中、図１と同様な部分には同じ符号を付して説明を省略する。
２１は鍵フレームであって、図１に示した鍵フレーム３と全体的には同様な構造のものである。
２１ａは上部取付部、２１ｂは段差部、２１ｃは基部、２１ｄは垂直壁である。２１ｅは段差部、２１ｆは基部である。
【００３３】
上部取付部２１ａの後端近傍において、複数の支持部２１ｇが立設され、白鍵本体部１，黒鍵本体部２を揺動自在に支持する。
図２（ｄ）に示すように、支持部２１ｇの立設部２１ｇ1は、上部取付部２１ａの上面から突き出ている。その左右の側面の上部には、軸部２１ｇ2，２１ｇ3が鍵の配列方向に突き出ており、白鍵本体部１又は黒鍵本体部２の後端部の左右側壁に設けられた鍵支点部（貫通孔）１ｂ又は鍵支点部（貫通孔）２ｂが嵌合される。
支持部２１ｇの上部は、白鍵本体部１の左右の鉛直側壁の間に配設されている。支持部２１ｇは、鍵フレーム２１と一体的に形成されたり、別体として形成されたりする。
【００３４】
２１ｈは質量体支持部である。質量体２２は、複数の白鍵本体部１及び複数の黒鍵本体部２（鍵盤面）の下方（鍵内部空間を含む）に、複数の白鍵本体部１，黒鍵本体部２のそれぞれに対応して並設されている。全体としては図１に示した質量体８とほぼ同様の構造である。上述した質量体支持部２１ｈに支持され、対応する鍵の力伝達部１ｃを介して回動される。
２２ａは主被駆動部、２２ｂは副被駆動部、２２ｃは回動支点部、２２ｄは連結部、２２ｅは自由端部としての質量集中部である。連結部２２ｄの後端が質量集中部２２ｅの前端部上方に結合されている。
鍵フレームの段差部２１ｂには、複数の鍵に対応して、複数のスリット状の貫通孔２５が形成され、各質量体２２は、この貫通孔２５を貫通している。
上部取付部２１ａにおいて、上述した支持部２１ｇに近い手前部分の下面に上限ストッパ２３が配設され固定されている。
【００３５】
図２（ａ）に示す初期状態においては、質量集中部の下端面２２ｅ1が下限ストッパ（下限動作規制部材）１０に当接している。鍵の押下時に、この鍵に対応する質量体２２は、重力に抗して反時計回りに回動する。
図２（ｂ）に示すように、質量体の連結部２２ｄが水平状態となり、質量集中部の上端面２２ｅ2が上限ストッパ（上限動作規制部材）２３に衝突する。自由端Ｐは、「ストローク長」として示した距離を移動する。
一方、黒鍵本体部２にも力伝達部が設けられており、質量体支持部により回動自在に支持された同様の質量体が設けられ、対応する黒鍵の力伝達部により回動される。
【００３６】
質量集中部２２ｅが上限ストッパ２３に衝突したとき、鍵を介して演奏者の指にストップ感が得られる。ところが、上部取付部２１ａにおいて、上限ストッパ２３がその下面に配置され固定されている上限ストッパ固定部（上限動作規制部材固定部）２４が変形（撓み）すると、ストップ感が悪くなる。特に、鍵フレーム２１が合成樹脂であると変形しやすい。そこで、上述した上限ストッパ固定部２４における上部取付部２１ａの上面に垂直リブ２１ａａ，２１ａｂを形成しておくことにより、上限ストッパ固定部２４を補強し剛性を高める。
【００３７】
図示の垂直リブ２１ａａは、白鍵本体部１，黒鍵本体部２の左右側壁の中央（鍵の配列方向における中央）に対応する位置に形成され鍵の長手方向に延びた薄板であり、垂直リブ２１ａｂは、垂直リブ２１ａａの中央から鍵の配列方向の左右に延びた薄板であり、両者が一体となって十字形の垂直リブとなる。いずれか一方のみを形成してもよく、特に、変形（撓み）しやすい鍵の長手方向の剛性を高める垂直リブ２１ａａのみであってもよい。
上述した上限ストッパ固定部２４は、上部取付部２１ａに垂直リブ２１ａａ，２１ａｂが付加された構造をいう。従って、上限ストッパ固定部２４は、各鍵（各質量体）に対応して設けられたものであり、上限ストッパ固定部２４の上部、すなわち、垂直リブ２１ａａ，２１ａｂの上部は、白鍵本体部１又は黒鍵本体部２の左右側壁間の内部に配設されている。
【００３８】
ここで、垂直リブを、上部取付部２１ａの任意の位置に配設するのであれば、白鍵本体部１や黒鍵本体部２の左右側壁と垂直リブ２１ａａ，２１ａｂとが干渉しないように、上部取付部２１ａから白鍵本体部１や黒鍵本体部２の左右側壁の下端までの間隔を大きくする必要がある。
しかし、この実施の形態においては、垂直リブ２１ａａ，２１ａｂを、白鍵本体部１及び黒鍵本体部２の左右側壁の間という空きスペースを有効活用して配設している。従って、垂直リブ２１ａａ，２１ａｂと、白鍵本体部１や黒鍵本体部２の左右側壁との重なり分（距離ｈ）に応じて、上部取付部２１ａから左右側壁の下端までの間隔が短縮される。その結果、鍵盤装置の全高Ｈが、単に垂直リブ２１ａａ，２１ａｂが任意の位置に配設される場合よりも抑制される。
なお、図示の例では、上限ストッパ２３は、従来技術と同様に上部取付部２１ａの下面に固定されているにもかかわらず、上部取付部２１ａの高さを、図１に示した実施の形態の短縮された上部取付部３ａの高と同じにしている。そのため、ストローク長を図１に示した実施の形態よりも短くしている。
【００３９】
図３は、本願発明の第３の実施形態である電子楽器の鍵盤装置を模式的に示す右側面図である。図３（ａ）は離鍵状態を示し、図３（ｂ）は白鍵本体部１が押し切られた状態を示している。図３（ｃ）は、図３（ｂ）において、矢示Ａ−Ａから見た白鍵本体部１及び鍵フレーム３１を模式的に示す横断面図である。
図中、図１と同様な部分には同じ符号を付して説明を省略する。
【００４０】
鍵フレーム３１は、図１に示した鍵フレーム３と全体的には同様な構造のものである。しかし、その上部取付部が前後に分かれている。前方上部取付部３１ａ1は、段差部３１ａ2を介して、僅かに低い後方上部取付部３１ａ3と結合している。
３１ｂは段差部、３１ｃは基部、３１ｄは垂直壁、３１ｅは段差部、３１ｆは基部である。段差部３１ｂには、複数の鍵に対応して、スリット状の貫通孔３５が並列形成されている。
【００４１】
後方上部取付部３１ａ3の後端近傍において、複数の白鍵本体部１，黒鍵本体部２のそれぞれに対応して複数の支持部３１ｇが上方に立設されている。図示の例では、鍵フレームの前方上部取付部３１ａ1の後方において、後述する補助ストッパ３４の後端から後方上部取付部３１ａ3における支持部３１ｇの手前までに、各鍵に対応してスリット状の貫通孔３６が設けられている。
立設部３１ｇ1は、軸部３１ｇ2，３１ｇ3が形成された上部と前方張出部３１ｇ4との間に垂直リブ３１ｇ5を有する。この垂直リブ３１ｇ5は、縦断面が三角形となる薄板であり、鍵の配列方向における白鍵本体部１，黒鍵本体部２の左右側壁の中央に対応して、立設部３１ｇ1及び前方張出部３１ｇ4の中央に形成されている。
図示の軸部３１ｇ2，３１ｇ3の高さは、図１に示した軸部３ｇ2，３ｇ3と同じ高さにしている。
【００４２】
垂直リブ３１ｇ5により、前方張出部３１ｇ4（上限動作規制部材固定部）が補強されるから、前方張出部３１ｇ4の剛性が高くなり、変形（撓み）しにくくなる。その結果、前方張出部３１ｇ4の下面に固定された上限ストッパ３３によるストップ感が良好になる。
図示の例では、前方張出部３１ｇ4の上部は白鍵本体部１の左右側壁間の内部にあるが、その下面は白鍵本体部１，黒鍵本体部２の左右側壁の下端よりも下の位置になるように、支持部３１ｇが形成されている。
【００４３】
上限ストッパ３３を、前方張出部３１ｇ4の下面に配置して固定するには、前方張出部３１ｇ4の下面と鍵フレーム３１の上部取付部との間に、上限ストッパ３３の厚み以上に十分な隙間が必要である。そのため、図示のように、上部取付部を前後に分けて、後方上部取付部３１ａ3の高さを前方上部取付部３１ａ1よりも低くしている。
なお、図１に示した実施の形態においても、上部取付部３ａを前方上部取付部と後方上部取付部とに分割して、後方上部取付部の高さ位置を、前方上部取付部よりも低くしてもよい。
【００４４】
この実施の形態における質量体のストローク長、及び、鍵盤装置の全高Ｈは、図１に示した実施の形態と同じにしている。
しかし、支持部３１ｇに垂直リブ３１ｇ5を設けたために、前方張出部（上限動作規制部材固定部）３１ｇ4の下面の位置を、図１に示した前方張出部（上限動作規制部材固定部）３ｇ4の下面の位置ほどは高くできない。そのため、質量集中部３２ｅの上端面の後部（後方上端面３２ｅ3）を低くすることによって、上限ストッパ３３が当接する面の位置を低くしている。
【００４５】
また、上限ストッパ３３が固定される前方張出部（上限動作規制部材固定部）３１ｇ4の下面は、白鍵本体部１及び黒鍵本体部２の左右側壁の下端よりも下に配置されている。従って、上限ストッパ３３を帯状のものとし、これを鍵盤の全ての鍵、あるいは、１〜数オクターブの鍵などに共通化することができる。この場合、上限ストッパ３３は、鍵の配列方向に並設された複数の支持部３１ｇにおける各前方張出部（固定部）３１ｇ4の下面に接着等の方法で固定され、複数の前方張出部（固定部）３１ｇ4間に架設することができる。
【００４６】
３１ｈは質量体支持部である。質量体３２は、複数の白鍵本体部１及び複数の黒鍵本体部２（鍵盤面）の下方（鍵内部空間を含む）に、複数の白鍵本体部１，黒鍵本体部２のそれぞれに対応して並設され、上述した質量体支持部３１ｈに支持され、対応する鍵の力伝達部１ｃを介して回動される。
３２ａは主被駆動部、３２ｂは副被駆動部、３２ｃは回動支点部、３２ｄは連結部、３２ｅは自由端部である質量集中部である。３２ｅ1は下端面である。連結部３２ｄの後端は質量集中部３２ｅの前端部下方に結合されている。
この質量体３２は、全体としては図１に示した質量体８とほぼ同様の構造である。しかし、質量集中部３２ｅの上端面の後方が切り欠かかれて段差を有し、前方上端面３２ｅ2と後方上端面３２ｅ3とに分かれている。
【００４７】
白鍵本体部１が押されたとき、この鍵に対応する質量体３２は、重力に抗して反時計回りに回動する。
図３（ｂ）に示すように、質量集中部の前方上端面３２ｅ2及び後方上端面３２ｅ3が貫通孔３６を通り、連結部３２ｄ、前方上端面３２ｅ2及び後方上端面３２ｅ3が水平状態になり、質量集中部３２ｅの後方上端面３２ｅ3が上限ストッパ（動作規制部材）３３に衝突する。
その結果、質量体３２の回動範囲の上限位置が規制されるとともに、質量体３２が制動されるために、鍵を介して演奏者の指にストップ感が得られる。図示の例では、前方上端面３２ｅ2は、白鍵本体部１の左右側壁間の内部にまで入り込む。
質量集中部３２ｅの自由端Ｐは、図３（ｂ）において「ストローク長」として示した距離を移動することになる。
【００４８】
一方、鍵フレームの前方上部取付部３１ａ1の下面に配置された補助ストッパ３４は、図１に示した補助ストッパ１２と同様のものである。
黒鍵本体部２に対しても、同様に、質量体支持部により回動自在に支持された同様の質量体が設けられ、対応する黒鍵の力伝達部により回動され、同様な形状の質量集中部が上限ストッパ３３に衝突する。
【００４９】
従来技術であれば、上限ストッパ３３は、鍵フレーム（前方上部取付部３１ａ1に対応する）の下面に配置され固定される。
従って、この実施の形態では、上限ストッパ３３を固定する部材が、鍵フレームの下面から、前方張出部３１ｇ4の下面へと、上に移動した距離ｈに応じて、前方上部取付部３１ａ1及び後方上部取付部３１ａ2の位置が低くなり、鍵盤装置の全高Ｈが抑制される。
【００５０】
ここで、仮に、前方上端面３２ｅ2の高さを低くして行き、図示の後方上端面３２ｅ3と同一面となるように質量集中部３２ｅを形成した場合でも、上述した距離ｈに応じて、鍵盤装置の全高Ｈが抑制される。
しかし、前方上端面３２ｅ2が後方上端面（第１の当接部）３２ｅ3よりも高くなるように質量集中部３２ｅを形成することにより、質量集中部３２ｅの質量を増やし、質量体３２の慣性モーメントを大きくすることができる。
この実施の形態の質量集中部３２ｅは、前方上端面３２ｅ2が白鍵本体部１の左右側壁間の内部に入り込むまでに前方上端面３２ｅ2が高くなる（縦幅が大きくなる）ように形成されている。従って、鍵の左右側壁間の内部という空きスペースを有効活用して、質量体３２の慣性モーメントを大きくしている。
【００５１】
上述した各実施の形態において、複数の質量体８，２２，３２、下限ストッパ１０、及び、上限ストッパ１１，２３，３３は、複数の白鍵本体部１及び複数の黒鍵本体部２（鍵盤面）の下方（鍵内部空間を含む）に位置している。
ここで、下方に位置するとは、装置の高さ方向に見た場合に、上述した複数の質量体、下限ストッパ、及び、上限ストッパが存在する位置の高さが、複数の白鍵本体部１及び複数の黒鍵本体部２（鍵盤面）の高さよりも、低いことを意味している。
上述した各実施の形態においては、複数の質量体、下限ストッパ、及び、上限ストッパは、鍵の長手方向において、複数の白鍵本体部の先端部１ａから白鍵本体部１及び黒鍵本体部２の後端部までの区間内に完全に入る。
しかし、複数の質量体、下限ストッパ、及び、上限ストッパの少なくとも１つが、例えば、白鍵本体部１及び黒鍵本体部２の後端部から後方に、はみ出しても構わない。はみ出しが少しであれば、鍵盤装置以外の構成部品も組み込まれる電子鍵盤楽器の奥行きに、それほど影響を与えない。
【００５２】
上述した各実施の形態において、質量体８，２２，３２は、その自由端側に質量集中部８ｅ，２２ｅ，３２ｅを有した構造のものであった。しかし、各鍵の押鍵操作に連動して回動するものであればよく、質量が集中していることが明確でない構造のものであってもよい。
【００５３】
上述した各実施の形態において、質量体支持部３ｈ，２１ｈ，３１ｈは、鍵フレームの上部取付部３ａ，２１ａ，３１ａ1（前方上部取付部）の下面に立設されていた。
しかし、鍵フレームの底板４の上面に質量体支持部を立設したり、鍵フレーム３，２１，３１に前方下部取付部を新たに設け、この上面に質量体支持部を立設したりしてもよい。これらの場合、質量体が回動する途中で、質量体の被駆動側部分が通過する領域（貫通孔１５，２５、３５の領域に相当）や、質量集中部が通過する領域（貫通孔１６，３６の領域に相当）に、鍵フレーム３，２１，３１の部分構成が存在しないようなフレーム構造にすることができる。
【図面の簡単な説明】
【００５４】
【図１】本願発明の第１の実施形態である電子楽器の鍵盤装置を模式的に示す右側面図である。
【図２】本願発明の第２の実施形態である電子楽器の鍵盤装置を模式的に示す右側面図である。
【図３】本願発明の第３の実施形態である電子楽器の鍵盤装置を模式的に示す右側面図である。
【符号の説明】
【００５５】
１…白鍵本体部、１ａ…先端部、１ｂ…鍵支点部、１ｃ…力伝達部、２…黒鍵本体部、２ａ…先端部、２ｂ…鍵支点部、
３，２１、３１…鍵フレーム、
３ａ，２１ａ…上部取付部、３１ａ1…前方上部取付部，３１ａ2…段差部、３１ａ3…後方上部取付部、２１ａａ，２１ａｂ…垂直リブ、
３ｂ，２１ｂ，３１ｂ…段差部、３ｃ，２１ｃ，３１ｃ…基部、３ｄ，２１ｄ，３１ｄ…垂直壁、３ｅ，２１ｅ，３１ｅ，３２ｅ…段差部、３ｆ，２１ｆ，３１ｆ…基部部、
３ｇ，２１ｇ，３１ｇ…支持部、３ｇ1，２１ｇ1，３１ｇ1…立設部、３ｇ2，３ｇ3，２１ｇ2，２１ｇ3，３１ｇ2，３１ｇ3…軸部、３ｇ4，３１ｇ4…前方張出部（上限動作規制部材固定部）、３１ｇ5…垂直リブ、
３ｈ，２１ｈ，３１ｈ…質量体支持部、
４…鍵フレーム底板、５，６…鍵ガイド、７…弾性部材、
８，２２，３２…質量体、８ａ，２２ａ，３２ａ…主被駆動部、８ｂ，２２ｂ，３２ｂ…副被駆動部、８ｃ，２２ｃ，３２ｃ…回動支点部、８ｄ，２２ｄ，３２ｄ…連結部、
８ｅ，２２ｅ…質量集中部、８ｅ1，２２ｅ1…下端面、８ｅ2，２２ｅ2…上端面、３２ｅ1…下端面、３２ｅ2…前方上端面、３２ｅ3…後方上端面、
９…口棒部、１０…下限ストッパ（下限動作規制部材）、１１，２３，３３…上限ストッパ（上限動作規制部材）、１２，３４…補助ストッパ、１３…下限ストッパ、１４…鍵スイッチ、１５，１６，２５，３５，３６…貫通孔、２４…上限ストッパ固定部（上限動作規制部材固定部）
【図１】
0005045331.tif 000002
【図２】
0005045331.tif 000003
【図３】
0005045331.tif 000004